(57)【要約】      （修正有）【課題】部品の応力ピークが最小にされるとともに、如何なる弾薬筒グラム重量を用いても容易な操作を有し、信頼し得る半自動散弾銃を提供する。【解決手段】銃尾６１を備えるフレーム６と、銃尾６１に関してフレーム６上にスライド（滑動）可能に取り付けられた銃身５と、銃身５を閉鎖することに適応した、銃尾６１に関してスライドするスライドボルトアセンブリ６２と、フレーム６に関する銃身５のスライド運動に対抗することに適応した弾性手段６５と、を備える滑腔銃身半自動散弾銃に関するものである。本散弾銃は、弾性手段６５が摩擦スプリング６６を備えることによって特徴付けられる。【選択図】図２
2008215803.tif 000002
【特許請求の範囲】
【請求項１】
銃尾（６１）を備えるフレーム（６）と；
前記銃尾（６１）に関してスライドする前記フレーム（６）に取り付けられた銃身（５）と；
前記銃身（５）を閉鎖することに適応した、前記銃尾（６１）に関してスライドするスライドボルトアセンブリ（６２）と；
前記フレーム（６）に関する前記銃身（５）のスライディングに対抗することに適応した弾性手段（６５）と；
を備える半自動滑腔銃身散弾銃（１）であって、
前記弾性手段（６５）は摩擦スプリング（６６）を備えることを特徴とする半自動滑腔銃身散弾銃（１）。
【請求項２】
銃床（２）と、グリップ（２３）と、前腕（４）と、引き金（３０）を備えた引き金アセンブリ（３）とを更に備える、請求項１に記載の散弾銃（１）。
【請求項３】
前記銃床（２）は、銃床降下を設定するための装置（２１）と調整可能な銃床尾板（２０）とを備える、請求項２記載の散弾銃（１）。
【請求項４】
前記銃身（５）は、単一銃身である、請求項１ないし３のいずれかに1項に記載の散弾銃（１）。
【請求項５】
前記銃身（５）は、銃口（５０）とリブ（５２）とを備える、請求項１ないし４のいずれかに1項に記載の散弾銃（１）。
【請求項６】
前記散弾銃（１）は、折畳みタイプ、すなわちフレーム（６’）がそれにヒンジ止めされた受容部（６”）を備える折畳みタイプである、請求項１ないし５のいずれか1項に記載の散弾銃（１）。
【請求項７】
弾薬筒を含むことに適応した外側弾薬筒保持具を更に備える、請求項１ないし６のいずれか1項に記載の散弾銃（１）。
【請求項８】
複数の弾薬筒を含むことに適応した弾倉（４３）を更に備える、請求項１ないし６のいずれか１項に記載の散弾銃（１）。
【請求項９】
前記銃身（５）は、これの近端部に、火薬の１装填量とペレットの１装填量とを含む弾薬筒を含む（または装填する）ことに適応した薬室（５１）を備える、請求項１ないし８のいずれ1項に記載の散弾銃（１）。
【請求項１０】
前記スライドボルトアセンブリ（６２）は、互いにスライドできるように取り付けられたボルト（６４）とスライド（６３）とを備える、請求項１ないし９のいずれか1項に記載の散弾銃（１）。
【請求項１１】
前記ボルト（６４）は、前記薬室（５１）を閉鎖することと、当該薬室（５１）との形状連結を設定することとに適応している、請求項１ないし１０のいずれか1項に記載の散弾銃（１）。
【請求項１２】
前記ボルト（６４）は、前記薬室（５１）を閉鎖することと、前記銃身（５）の前記銃尾との形状連結を設定することとに適応している、請求項１０に記載の散弾銃（１）。
【請求項１３】
前記ボルト（６４）、前記薬室（５１）および／または前記銃尾（６１）の間の相対運動がそれぞれ前記形状連結を設定することと、解放することとを可能にする、請求項１１または１２に記載の散弾銃（１）。
【請求項１４】
前記薬室（５１）と前記ボルト（６４）との間の前記形状連結は、前記ボルト（６４）を回転させることによって解放され得る、請求項１１ないし１３のいずれか１項に記載の散弾銃（１）。
【請求項１５】
前記銃尾（６１）と前記ボルト（６４）との間の前記形状連結は、前記ボルト（６４）を揺動させることによって解放され得る、請求項１１ないし１３のいずれか１項に記載の散弾銃（１）。
【請求項１６】
前記ボルト（６４）は、いったん解放されると、前記スライド（６３）内でスライドでき、前記薬室（５１）から離れるように動くことができる、請求項１０ないし１５のいずれか１項に記載の散弾銃（１）。
【請求項１７】
前記スライド（６３）は、前記ボルト（６４）の動きをガイドすることに適応したカム面（６３４）を備える、請求項１０ないし１６のいずれか１項に記載の散弾銃（１）。
【請求項１８】
前記摩擦スプリング（６６）は、複数の摩擦面（６６３）を作り出すように複数の外側リング（６６２）によって取り囲まれた複数の内側リング（６６１）を備える、請求項１ないし１７のいずれか１項に記載の散弾銃（１）。
【請求項１９】
前記摩擦スプリング（６６）は、著しい履歴現象を有する、すなわち解放サイクル時に前記摩擦スプリング（６６）によって解放されるエネルギーが前記圧縮サイクル時に蓄積されるエネルギーより著しく低い特性カーブ「力−変位」を有する、請求項１ないし１８のいずれか１項に記載の散弾銃（１）。
【請求項２０】
前記摩擦スプリング（６６）は、前記銃身（５）に同軸的に配置される、請求項１ないし１９のいずれか１項に記載の散弾銃（１）。
【請求項２１】
前記摩擦スプリング（６６）は、前記薬室（５１）の周りに配置される、請求項２０に記載の散弾銃（１）。
【請求項２２】
前記摩擦スプリング（６６）は、前記薬室（５１）に関してより前方の位置において前記銃身（５）の周りに配置される、請求項２０に記載の散弾銃（１）。
【請求項２３】
前記摩擦スプリング（６６）は、前記薬室（５１）に関して最後尾の位置において前記フレーム（６）内に配置される、請求項２０に記載の散弾銃（１）。
【請求項２４】
前記摩擦スプリング（６６）は、前記スライドボルトアセンブリ（６２）の反動ストロークを止めることにも適応している、請求項１ないし２３のいずれか１項に記載の散弾銃（１）。
【請求項２５】
前記弾性手段（６５）は更にコイルスプリング（６７）を備える、請求項１ないし２４のいずれか１項に記載の散弾銃（１）。
【請求項２６】
前記コイルスプリング（６７）は、前記摩擦スプリング（６６）に関して同軸的に配置される、請求項１ないし２５のいずれか１項に記載の散弾銃（１）。
【請求項２７】
前記コイルスプリング（６７）と前記摩擦スプリング（６６）は順次に配置される、請求項２５または２６に記載の散弾銃（１）。
【請求項２８】
前記コイルスプリング（６７）は、発砲に続く前記反動ストロークの終わりに前記発射位置に前記銃身（５）引き戻すことに適応している、請求項２５ないし２７のいずれか１項に記載の散弾銃（１）。
【請求項２９】
前記コイルスプリング（６７）は、散弾銃（１）の使用の特徴的振動時に前記銃身（５）を前記発射位置に保持することに適応している、請求項２５ないし２８のいずれか１項に記載の散弾銃（１）。
【請求項３０】
前記摩擦スプリング（６６）において、前記複数の外側リング（６６２）の一部は切断されている、請求項１ないし２９のいずれか１項に記載の散弾銃（１）。
【請求項３１】
前記スライドボルトアセンブリ（６２）を前記発射位置に引き戻すことに適応した弾性手段（６８）を更に備える、請求項１ないし３０のいずれか１項に記載の散弾銃（１）。
【請求項３２】
前記弾性手段（６８）は、前記弾薬筒の前記弾倉（４３）の周りに配置されたコイルスプリングを備える、請求項３１に記載の散弾銃（１）。
【請求項３３】
前記弾性手段（６８）は、前記銃床（２）内に配置されたスプリングを備える、請求項１ないし３２のいずれか１項に記載の散弾銃（１）。
【請求項３４】
前記銃身（５）の全反動ストローク（ｌ）は１０ｍｍ未満、好適には８ｍｍ未満の長さを有する、請求項１ないし３３のいずれか１項に記載の散弾銃（１）。
【請求項３５】
前記スライドボルトアセンブリ６２の前記反動ストローク（Ｌ）と前記銃身（５）の前記全反動ストローク（１）との間の（Ｌ／ｌ）比は１０より大きい、請求項１ないし３４のいずれか１項に記載の散弾銃（１）。
【請求項３６】
前記摩擦スプリング（６６）は、予め確立された非ゼロの力によってゼロに近い圧縮運動に反作用するように予め加重される、請求項１ないし３５のいずれか１項に記載の散弾銃（１）。
【請求項３７】
前記摩擦スプリング（６６）と内側チューブ（６６４）とスライディングフランジ（６６５）と前記内側チューブ（６６４）に取り付けられた隣接フランジ（６６６）とを備える緩衝手段（６６０）を更に備える、請求項１ないし３６のいずれか１項に記載の散弾銃（１）。
【請求項３８】
前記スライディングフランジ（６６５）と前記隣接フランジ（６６４）は、前記摩擦スプリング（６６）のための軸方向の支持台を構成する、請求項３７に記載の散弾銃（１）。
【請求項３９】
前記スライディングフランジ（６６５）は、摩擦スプリング（６６）に接近する方向にだけ前記内側チューブ（６６４）に沿ってスライドでき、前記摩擦スプリング（６６）から反対の立ち退き方向へのそれのスライディングは防止される、請求項３７または３８に記載の散弾銃（１）。
【請求項４０】
前記緩衝手段（６６０）の動作寿命中、前記隣接フランジ（６６６）は前記内側チューブ（６６４）に関して固定される、請求項３７ないし３９のいずれか１項に記載の散弾銃（１）。
【請求項４１】
前記隣接フランジ（６６６）の前記内側チューブ（６６４）に沿った位置は計画段階で定義され、また前記緩衝手段（６６０）組立ておよび／または分解修理（オーバーホール）段階のときに設定される、請求項３７ないし４０のいずれか１項に記載の散弾銃（１）。
【請求項４２】
前記緩衝手段（６６０）は前記摩擦スプリング（６６）に前記圧縮事前加重を与える、請求項３７ないし４１のいずれか１項に記載の散弾銃（１）。
【請求項４３】
前記緩衝手段（６６０）と前記摩擦スプリング（６６）との全軸方向空隙が埋め合わされる、請求項３７ないし４２のいずれか１項に記載の散弾銃（１）。
【発明の詳細な説明】
【技術分野】
【０００１】
本発明の目的は、半自動散弾銃、特に狩猟での使用およびスポーツ射撃の幾つかの訓練のための、ペレット（小球）、バックショット（大粒ペレット）または鉛玉（鉛散弾）を有する弾薬筒（薬きょう：カートリッジ）の発砲を意図した滑腔銃身を有する半自動散弾銃である。
【背景技術】
【０００２】
狩猟およびスポーツ射撃の分野では、採用される技術的特徴および／または機能的解決策に関して異なる幾つかのタイプの散弾銃が知られている。
【０００３】
口径は、銃身の内径を示すパラメータである。狩猟用の従来システムによれば口径は、銃身の直径を有する鉛玉が１ポンドに何個含まれるかを示す個数（大抵は１２個または２０個、まれには２８個）によって示される。
【０００４】
薬室の長さはインチで表される。これは、銃身に含まれ得る弾薬筒の最大長さを示す。最も一般的な薬室長さは、２３／４”（７０ｍｍに相当し、標準とも呼ばれる）、３”  （７６ｍｍに相当し、マグナムとも呼ばれる）、および３１／２”（８９ｍｍに相当し、スーパーマグナムとも呼ばれる）である。弾薬筒が長いほど、これが含み得るペレットの量は多くなる。より多数のペレットには、より多量の火薬が対応し、その結果、より大きな発砲パワーが対応する。
【０００５】
異なるタイプの散弾銃が区別される他の特性は、固定または可傾銃身（折畳み動作）；典型的には５６０ｍｍから８００ｍｍに及ぶ銃身長さ；および目標に対する散弾のパターンの分布を決定する銃口絞り（マウスチョーク）による武器一般の構成である。
【０００６】
更に狩猟およびスポーツ射撃の分野では、手動装填散弾銃と共に、半自動散弾銃が長い間、知られている。このような散弾銃は、必ず手動で武器に装弾する義務からユーザを解放する。実際に、各発砲の直後に続くステップで、半自動散弾銃は自発的に可動マッス（スライドボルトアセンブリ）のリコッキング（再撃鉄引き）、空薬きょうの放出、および新しい銃弾の供給と装填に進む。
【０００７】
動作が異なる原理に基づいている半自動散弾銃の幾つかの類型が知られている。
【０００８】
半自動散弾銃の第１のタイプは、「ガス圧式」と呼ばれるものである。このような散弾銃では、火薬爆発によって発生したガスのエネルギーが利用される。スライディング（滑動）ピストンによって閉じられたシリンダ内に膨張を生じさせるために、このようなガスの小部分が、１つ以上の孔を通して銃身から引き出される。今度は、ピストン推力は可動マッスをリコッキング（再撃鉄引き）し、薬きょうを放出し、新しい銃弾を装填するインパルスを発生させる。
【０００９】
ピストン推力は、火薬爆発によって薬室内に生成された一次インパルスの力の関数として極めて変わり易い。このような一次インパルスは、発砲される弾薬筒のグラム重量に依存する。ここで「グラム重量」は、発射されたペレットの装填弾薬の質量を意味し、したがって同じ弾薬筒のパワーを意味する。火薬装填量の質量とペレット装填量の質量は、典型的には比例する。
【００１０】
ガス圧式装置は、必要とされる信頼度を保証し得るために、散弾銃に装填され得る最小グラム重量を有するこれらの弾薬筒を用いる操作のために必ず寸法決めされなくてはならない。いったん装置が適切に寸法決めされると、弾薬筒グラム重量とその結果から来る一次インパルスとの可変性はリコッキング（再撃鉄引き）速度の可変性に変わる。最小速度は、小さいグラム重量を有する弾薬筒が発砲されるときに武器の安全動作を達成するために必要である速度である。最大速度は、散弾銃に装填され得る最大グラム重量を有する弾薬筒の発砲に対応する。
【００１１】
しかしながら高いリコッキング速度は高い応力に変わり、その結果、散弾銃部品の動作寿命が減少する。全体においてこれは同じ散弾銃の短い使用期間という結果を招く。
【００１２】
より最新式のガス圧式散弾銃では、より高いグラム重量を有する弾薬筒の発砲に関連する過剰なガスを排出できるシャッターバルブ（弁）または自動補正バルブを採用することによって高いリコッキング速度の問題を未然に防ぐことが成功裏に試みられてきた。
【００１３】
しかしながらこのようなバルブまたは通気システムは、散弾銃の機構とコストとの増加を伴う。
【００１４】
更にガス圧式システムは、放出されるガスが多数の銃弾を発射した後に除去されなくてはならない未燃焼固形物を付着させる傾向があるので、継続的な保守を必要とする。
【００１５】
もう１つのタイプの半自動散弾銃は、「慣性式」タイプと呼ばれるものである。このタイプの散弾銃では、可動マッスと散弾銃フレームとの間に配置されたスプリングの圧縮とそれに続く解放とが利用される。このスプリング圧縮は、散弾銃反動によって引き起こされ、またこれは必要とされるリコッキング速度を同マッスに与えるために利用される。
【００１６】
慣性式動作を有する散弾銃は、これが最大リコッキング速度を限定することと、機械部品の応力の結果的減少とを可能にするので、高く評価されている。
【００１７】
更に慣性式散弾銃は、著しい構造的単純さと使用における少ない保守とによって特徴付けられる。実際に如何なるガス導出も必要とせず、慣性式装置は如何なる「付着」もこうむらない。とにかく発砲ガスによって接触される薬室と銃身のために、標準的洗浄は、なお必要である。
【００１８】
対照的に、慣性式散弾銃に固有である低いリコッキング速度は、特に散弾銃フレームが大きい質量を持ち、発砲される弾薬筒が低いまたは極めて低いグラム重量を持つときに問題となり得る。低いリコッキング速度は、結果として薬きょう放出の迅速さを低くし、故障の危険を高くする。
【００１９】
更にこのようなタイプの散弾銃の動作は、ユーザの行動によって、特にユーザが自分の肩を散弾銃の銃床に対置する受け方のタイプによって強く影響される。
【００２０】
半自動散弾銃の更なるタイプ、歴史的に開発されるべき最初のものは、「銃身長反動」タイプまたはより簡単に「長反動」と呼ばれるものである。このようなタイプの散弾銃では、ガス推力によって作用される自然の反動は、銃身とそれと共にスライドボルトアセンブリとリコッキング動作に関連するすべてのマッスとを後方に加速するために利用される。銃身とボルトとの間に配置された適当な開錠装置は、正しい瞬間に鎖錠部材から銃身を切り離す用意をする。鎖錠部材から銃身を切り離す正しい瞬間は、銃弾が銃口を離れ、その結果銃身内の圧力が急激に減少する瞬間と比較して幾分遅れている。その後、戻りスプリングは、銃身を最初の位置（発射位置と呼ばれる）に引き戻し、その間にそれ自身の戻りスプリングを備えたスライドボルトアセンブリは、薬きょう放出と新しい銃弾の再装填に備える。
【００２１】
長反動散弾銃では銃口からの銃弾の出現を待つ間に、銃身と可動マッスとを加速するために薬室内のガスのすべてのインパルスが使用される。実際にガスの作用下でのこれらの跳ね返り運動は、全リコッキングストローク中に、すなわち数１０ミリメートルの間に亘る。ちなみにリコッキングストロークは、弾薬筒長さと近似的に同じでなければならないので７０ｍｍから８９ｍｍの範囲に亘る。
【００２２】
薬室内のすべてのガスインパルスの利用は、高いグラム重量を有する弾薬筒の発砲の場合に、リコッキング速度を高くする。この高いリコッキング速度は、散弾銃の高い振動と機械部品の高い応力とユーザの肩への高い反動とを含む。
【００２３】
長い反動の悪影響を最小にするために、幾つかの装置が提案されている。これらの間で例えばマグナムまたはスーパーマグナム弾薬筒の発砲の場合にだけ駆動される摩擦ブレーキがある。このような装置は、極めて低い動作信頼度を持つ上に時々発砲される弾薬筒の機能として武器をセットしなくてはならないことに在る更なる負担をユーザに強いる。
【発明の概要】
【００２４】
本発明の目的は、従来技術を参照して前述の欠点を少なくともある程度、未然に取り除くことを可能にする半自動散弾銃を考案して提供することである。
【００２５】
特に本発明の課題は、部品の応力ピークが最小にされる半自動散弾銃を提供することである。更に本発明の課題は、如何なる弾薬筒グラム重量を用いても容易な操作を有し、信頼し得る半自動散弾銃を提供することである。
【００２６】
この目的やこれらの課題は、請求項１に記載の散弾銃によって達成される。
【００２７】
本発明による散弾銃の更なる特徴と利点は、下記の付属の図を参照しながら非限定的例として与えられた好適な実施形態の後で述べられる説明から明らかになる。
【発明を実施するための最良の形態】
【００２８】
付属図を参照すると、本発明による滑腔銃身半自動散弾銃は、一般に１で示されている。
【００２９】
それ自体知られている仕方で本発明による散弾銃１は、フレーム６と銃身５とを備える。
【００３０】
図１に示された特定の実施形態では散弾銃は、知られているが本発明を実施するために必ずしも必須ではない他の特徴要素を備えている。特にこの散弾銃は、銃床２とグリップ（握り）２３と引き金３０を備える引き金アセンブリ３と前腕（フォアアーム）４とを備える。
【００３１】
図１に示された散弾銃１の実施形態では銃床２は、今度は銃床降下を設定するための装置２１と調整可能な銃床尾板２０とを備える。最後に銃身５は単式で、銃口５０で終わっており、銃身の上にリブ５２が取り付けられている。
【００３２】
以下では用語「後方」、「後ろ」または「近接した」は、散弾銃の標準的使用時にユーザまたは銃床尾板２０にやや近い散弾銃１に沿った位置を意味する。対照的に用語「前方へ」、「前部」または「遠位」は、散弾銃の標準的使用時に、ユーザからやや遠いまたは銃口５０に近い散弾銃１に沿った位置を意味する。
【００３３】
図７、８の実施形態によれば本発明による散弾銃１は、折畳みタイプ、すなわちフレーム６’がこれにヒンジ止めされた受容部６”を備える折畳みタイプである。この散弾銃は更に弾薬筒を含むことに適応した外側弾薬筒保持部（図示せず）を備える。
【００３４】
その代わりに図２〜６の実施形態によれば、本発明による散弾銃１は、固定銃身タイプである。これは更に、複数の弾薬筒のための弾倉４３を備える。
【００３５】
本発明による散弾銃１では銃身５は、フレーム６に含まれる銃尾６１に関してフレーム６上にスライド（滑動）可能に取り付けられている。この散弾銃は更に、銃身５を閉じることに適応した銃尾６１に関してスライドするスライドボルトアセンブリ６２を備える。
【００３６】
それ自体知られている仕方で薬室５１は、火薬の１装填量とペレットの１装填量とを含む弾薬筒と呼ばれる、適当な弾薬を含む（または装填する）ことに適応した銃身５近端部に配置される。
【００３７】
添付図の実施形態によればスライドボルトアセンブリ６２は、互いにスライドできるように取り付けられたボルト６４とスライド６３とを備える。ボルト６４は、薬室５１を閉じて同薬室５１との、または銃尾と呼ばれる銃身５の後部との形状連結を設定することに適応している。この形状連結は、薬室５１とボルト６４とによって形成されるユニットが弾薬筒火薬によって発砲時に生成されるガスの激しい膨張を制限することを可能にする。ボルト６４と、薬室５１および／または銃尾６１との間の相対的動きは、形状連結をそれぞれ設定し解放することを可能にする。
【００３８】
図２〜６および９の実施形態によれば薬室５１とボルト６４との間の形状連結は、同ボルト６４を回転させることによって解放され得る。
【００３９】
このような実施形態によればスライド６３は、ボルト６４の回転的および平行移動的動きをガイドすることに適応したカム面６３４を備える。
【００４０】
図７、８の実施形態によれば薬室５１とボルト６４との間の形状連結は、同ボルト６４を揺動することによって解放され得る。いったん解放されるとボルト６４は、スライド６３と共にスライドして、薬室５１から遠ざかることができる。
【００４１】
このような実施形態によればスライド６３は、ボルト６４の揺動と平行移動とをガイドすることに適応したカム面（図示せず）を備える。
【００４２】
本発明による散弾銃１は更に、フレーム６に関してスライドする銃身５に対抗することに適応した弾性手段６５を備える。このような弾性手段６５は、摩擦スプリング６６を備える。
【００４３】
リングスプリングとも呼ばれる摩擦スプリングは、図１０に部分断面図で示されている。摩擦スプリング６６は、複数の外側リング６６２によって取り囲まれた複数の内側リング６６１を備える。これらのリングは、とにかく傾斜面を形成するように本質的に三角形または台形の断面になっている。これらのリングは、複数の摩擦面６６３を作り出すために傾斜面に互いに接触するように配置されている。
【００４４】
摩擦スプリング６６が軸方向の圧縮応力を受けると、これらのリングは摩擦面に沿ってスライドする。内側リング６６１では、リングの直径を減らす傾向がある円周方向圧縮歪みが作り出される。反対に外側リング６６２ではリングの直径を増加させる傾向がある円周方向引っ張り歪みが作り出される。
【００４５】
本発明による散弾銃１で使用されるタイプの摩擦スプリング６６は、リングフエーデル・フアウベーゲー・ゲゼルシヤフト・ミツト・ベシユレンクテル・ハフツング（ＲＩＮＧＦＥＤＥＲＶＢＧ  ＧＭＢＨ）によって商標名Ｒｉｎｇｆｅｄｅｒ（登録商標）の下で製造され販売されている。
【００４６】
典型的摩擦スプリング６６の特性カーブ「力−変位」は、図１１に報告されている。他のタイプのスプリングのカーブと比較して図１１のカーブは、限定された変位と大きな力とを組み合わせている。これは、摩擦スプリング６６が短い動作ストロークで多量のエネルギーを蓄積することを可能にする。
【００４７】
更に認められるべきであるように、このカーブは顕著な履歴現象（ヒステリシス）によって特徴付けられる。言い換えれば解放サイクル時にスプリングによって解放されるエネルギーは、圧縮サイクル時に蓄積されるエネルギーより著しく低い。実際に圧縮サイクルは、変位を一定に保ちながら解放サイクルの力より著しく大きな力によって特徴付けられる。
【００４８】
このような履歴現象により摩擦スプリング６６は、各単一の圧縮−解放サイクルにおいて妥当な量のエネルギー、図１１のドット領域によって図形的に表されたエネルギーを放散する。
【００４９】
このようなエネルギー放散は、反動ストロークにおける銃身の運動エネルギー、したがって結果として生じる衝突のエネルギーを大幅に減らすことを可能にする。衝突エネルギー減少は、散弾銃１の機械部品の有効寿命の増加を可能にする。
【００５０】
散弾銃１の一般的構成では摩擦スプリング６６は、特定の必要を満たすために異なる配置を取り得る。例えば図２〜６の実施形態では摩擦スプリング６６は、薬室５１の周りに配置されている。図７の実施形態では摩擦スプリング６６は、薬室５１と比較して、より前方の位置で銃身５の周りに配置されている。図９の実施形態では摩擦スプリング６６は、薬室５１と比較して最後尾の位置でフレーム６に配置されている。この特定の位置では摩擦スプリング６６はまた、スライドボルトアセンブリ６２のストロークを止めることにも適応している。
【００５１】
しかしながらこれらすべての実施形態において摩擦スプリング６６は、銃身５に関して同軸位置を有する。
【００５２】
他の実施形態によれば特定の必要を満たすために摩擦スプリング６６は、銃身５に対して他の位置、例えば非同軸的な位置を取り得る。
【００５３】
付属図の実施形態によれば弾性手段６５はまた、コイルスプリング６７も備える。コイルスプリング６７は、摩擦スプリング６６に関して同軸位置を取る。更に付属図の実施形態ではコイルスプリング６７と摩擦スプリング６６は、順次に配置されている。
【００５４】
コイルスプリング６７は、摩擦スプリング６６より著しく柔らかな特性を有する。言い換えれば、２つのスプリングに付加される短縮を一定に保ちながら、コイルスプリング６７は、摩擦スプリング６６の力よりはるかに小さい力で反動する。更にコイルスプリング６７は、材料固有の放散を除いて本質的に履歴現象を持たない特性を有する。
【００５５】
これらの特性のためにコイルスプリング６７は、発砲に続く反動ストロークの終わりで発射位置に銃身５を引き戻すことに適応している。コイルスプリング６７は更に、散弾銃１の使用時に特徴的である振動時に銃身５を発射位置に保持することに適応している。
【００５６】
銃身５をこれの反動ストロークに終わりに発射位置に引き戻すという同課題は、複数の外側リング６６２の一部が切断された摩擦スプリングによって遂行され得る。外側リング６６２の切断は、ある場合に−コイルスプリング６７を加える必要をなくすまで、摩擦スプリング６６の特性を大幅に柔らかくすることを可能にする。
【００５７】
本発明による散弾銃１のある幾つかの実施形態によれば、摩擦スプリング６６は、図１２〜１４に示されたタイプの緩衝手段６６０に含まれている。
【００５８】
緩衝手段６６０は、摩擦スプリング６６に加えて、スライディングフランジ６６５と隣接フランジ６６６とが取り付けられた内側チューブ６６４を備える。
【００５９】
２つのフランジ６６５、６６６の各々は、摩擦スプリング６６のための軸方向の支持体を構成する。
【００６０】
スライディングフランジ６６５は、摩擦スプリング６６に接近する方向にだけ内側チューブ６６４に沿ってスライドできるが、反対の摩擦スプリング６６から立ち退き方向へのこれのスライディングは防止されている。
【００６１】
その代わりに緩衝手段６６０の動作寿命中、隣接フランジ６６６は、内側チューブ６６４に関して固定されている。内側チューブ６６４に沿った隣接フランジ６６６の位置は、計画段階で決定され、緩衝手段６６０の組立ておよび／または分解修理（オーバーホール）のステップ時に設定される。
【００６２】
この仕方で緩衝手段６６０の組立てステップ時に摩擦スプリング６６は、スライディングフランジ６６５に隣接して配置され、また隣接フランジ６６６は、今度は摩擦スプリング６６に隣接して配置される。
【００６３】
緩衝手段６６０の前述の構造は、摩擦スプリング６６に圧縮事前加重を与えることを可能にする。このようにしてスプリング６６は、緩衝手段６６０の計画段階で決定されたゼロでない力によってゼロに近い圧縮変位にも迅速に反作用する。図１１の力−変位カーブは、圧縮によって予め荷重をかけられた摩擦スプリング６６に関している。
【００６４】
事前加重は、摩擦スプリング６６に付加された変位を一定に保ちながら、より高いエネルギー量を放散することを可能にする。
【００６５】
更に事前加重設定によって独立に緩衝手段６６０構造は、緩衝手段圧縮が摩擦スプリング６６の反作用なしには部品の軸方向変位を作り出すことができないように、緩衝手段６６０と摩擦スプリング６６とのすべての軸方向空隙を埋め合わせることを可能にする。
【００６６】
本技術に精通する人々が確かに認め得るように、摩擦スプリング６６の事前加重設定と空隙埋め合わせとの動作は、散弾銃１上に摩擦スプリング６６を直接取り付けることによって緩衝手段６６０なしでも遂行され得る。しかしながら緩衝手段６６０が、銃身５およびフレーム６といった大きくて重い構成要素の組立てとは別にこれらの動作を実行する際のより高い容易さと効果とを可能にすることもまた認められるであろう。
【００６７】
ある幾つかの実施形態によれば散弾銃１は、スライドボルトアセンブリ６２を発射位置に引き戻すことに適応した他の弾性手段６８を備える。図９および２〜６の実施形態では弾性手段６８は、弾薬筒のための弾倉４３の周りに配置されたコイルスプリングを備える。図７、８の実施形態では弾性手段６８は、銃床２の内部に配置されたスプリング（図示せず）を備える。
【００６８】
弾性手段６８は、特定の必要を満たすために他のタイプのスプリングを備えることができ、また他の配置を取ることができる。
【００６９】
図２〜６を参照すると、発砲およびそれに続く再装填サイクル時の、本発明による散弾銃１の動作が、以下に説明されるであろう。
【００７０】
発射（バッテリ）構成と呼ばれる、図２において散弾銃１によって取られる構成は、散弾銃が装弾されて発砲準備ができている構成である。弾薬筒（明瞭にするために図示されていない）は、薬室５１において装弾され、ボルト６４は薬室５１を閉鎖し、引き金アセンブリ３はコック（撃鉄引き）されている。
【００７１】
図２の構成から図３の構成に変化すると、撃鉄３１を解放する引き金アセンブリ３を動作させることによって、引き金３０は押される。
【００７２】
図３の散弾銃によって取られた構成は、発砲の瞬間の構成である。撃鉄３１は撃針３６を打ち、弾薬筒内の火薬に点火する。薬室５１内のガスの急激な膨張は、ペレットの１装填分（前方に）と銃身５（後方に）を反対方向に押し始める。
【００７３】
図３の構成から図４の構成に変化すると、ガス膨張は銃身５におけるこれの動作の全体を実行し、ペレットを前方に押し続ける。
【００７４】
図４の散弾銃によって取られた構成は、銃身５が全反動ストロークｌを実行した構成である。「全反動ストロークｌ」によって、ここでは銃身が本質的に自由に動き、またコイルスプリング６７と摩擦スプリング６６との圧縮が起こる減衰ストロークにまで合計されるという、反動ストロークの言葉が厳密に意味される。それの反動ストロークにおいて銃身５は、まだ薬室５１を閉鎖しているスライドボルトアセンブリ６２を後方に押す。
【００７５】
図４の構成から図５の構成に変化すると、スライド６３はそれのストロークにおいて後方に進み、撃鉄を押し、それによって引き金アセンブリ３をリコッキング（再撃鉄引き）し、銃身５は弾性手段６５によって再び前方に引かれ、ペレットが銃口５０から出てくる。
【００７６】
図５の散弾銃によって取られた構成は、銃身５が再び発射位置に在り、ガスの圧力が急激に減少した構成である。それのストロークにおいて後方に進むスライド６３は、まだ薬室５１に拘束されているボルト６４を、カム面６３４を介して回転させ始める。カム面６３４の特定のプロファイル（断面形状）は、発砲に関してボルト６４が回転し始める遅れを指示する。ボルト６４の回転は、薬室５１の開放を可能にする。
【００７７】
図５の構成から図６の構成に変化すると、ボルト６４は解放され、スライド６３によって後方に引きずられて、薬室５１を開放する。スライド６３は、引き金アセンブリ３のコッキング（撃鉄引き）を完了し、空の弾薬筒または薬きょうは放出される。
【００７８】
図６の散弾銃によって取られた構成は、スライド６３がそれの最後尾位置に到達した構成である。スライドの後方ストロークは特別の減衰手段の上で止まることができる。弾性手段６８は圧縮されて、スライドボルトアセンブリ６２を発射位置に引き戻す用意ができている。
【００７９】
再び図６の構成から図２の構成に変化すると、スライド６３とボルト６４は、弾性手段６８によって発射位置に引き戻される。この前方ストローク時にスライドボルトアセンブリ６２は、適切な弾薬筒保持具３２によって引き上げられた新しい弾薬筒を装填する。ボルト６４は、薬室５１を閉じるようにスライド６３のカム面６３４によって再び押されて回転させられる。
【００８０】
銃身５の反動ストロークがスライドボルトアセンブリ６２の反動ストロークと比較して極端に減らされていることは留意されるべきである。これに関しては、図２の散弾銃によって取られた構成（発射位置）を図４（完全に後退した銃身５）および図６（完全に後退したスライドボルトアセンブリ６２）それぞれによって取られた散弾銃位置と比較することが有益である。特に銃身５の全反動ストロークｌは１０ｍｍ未満、好適には８ｍｍ未満の長さを有する。対照的にスライドボルトアセンブリ６２の反動ストロークＬ（図２〜６の場合、ボルト６４を見ること）は、弾薬筒長さに匹敵する、典型的には８０ｍｍを超える長さを有する。
【００８１】
本発明による散弾銃１の一実施形態によれば、Ｌ／ｌ比は１０を超えている。
【００８２】
前述のことすべてから、本発明による散弾銃１は発砲され得る異なる弾薬筒グラム重量に自然にマッチすることを基本的に可能にする動作原理を有することが導かれる。実際に当業者が理解し得るように銃身５が受ける後方加速は、ペレットが受ける前方加速に逆比例する。これは、銃身５が全反動ストロークｌをカバーしたときにペレットの１装填分がペレットの質量の関数として広がる銃身５長さをカバーしているという事実を決定する。特に、より小さな質量を有する１装填量はより長い銃身長さをカバーするであろうし、逆もまた同様で、より大きな質量を有する１装填量はより短い銃身長さをカバーするであろう。
【００８３】
ガス膨張は、単に銃身５がそれの反動ストロークの終点に到達するまで、可動マッスにエネルギーを供給するので、弾薬筒グラム重量増加は、銃身５によって可動マッスに転送されるエネルギーの減らされた増加を決定する。
【００８４】
さて、本発明による散弾銃１に採用されたソリューションが既知のタイプの長反動半自動散弾銃と比較して遥かに長い動作寿命を達成することを可能にすることは、前述のことを考慮すれば、明らかになるであろう。実際に、衝撃において転送されるエネルギーを最小にすることによって、また摩擦スプリングを介してこのエネルギーの一部を放散することによって散弾銃１の部品は、応力ピークから保護される。
【００８５】
更に、これらのソリューションによって本発明による散弾銃１は、既知の長反動散弾銃と比較して発砲時に振動を受けることが少なく、またユーザの肩には限定されたインパルスしか伝達しない。
【００８６】
また、ガス圧式半自動散弾銃と比較して本発明による散弾銃１は、極めて少ない保守しか必要としない。実際に如何なるガス導入も存在しないので、未燃焼固形物の付着は存在しない。
【００８７】
最後に、半自動慣性式散弾銃と比較して本発明による散弾銃１は、故障をこうむることがかなり少ない。実際にこれは、弾薬筒グラム重量の変化からも、ユーザの特徴からも悪影響を受けない。
【００８８】
この散弾銃の前述の実施形態について当業者は、特定の、起こり得る必要を満たすために、前記の請求項の範囲から逸脱せずに他の機能的に同等な要素による要素の修正、適応および置換えを実施できるであろう。可能な実施形態に属するとして説明された特徴の各々は、ここで説明された他の実施形態とは独立に実現され得る。
【図面の簡単な説明】
【００８９】
【図１】本発明による散弾銃の全体側面図である。
【図２】動作の第１のステップ時の本発明による散弾銃細部の部分断面側面図である。
【図３】動作時の第２のステップ時の図２の細部の部分断面側面図である。
【図４】動作時の第３のステップ時の図２の細部の部分断面側面図である。
【図５】動作時の第４のステップ時の図２の細部の部分断面側面図である。
【図６】動作時の第５のステップ時の図２の細部の部分断面側面図である。
【図７】第１の構成における本発明によるもう１つの散弾銃を示す図である。
【図８】第２の構成における図７の散弾銃を示す図である。
【図９】本発明による更なる散弾銃を示す図である。
【図１０】本発明による散弾銃に備えられる摩擦スプリングを部分的に断面で示す図である。
【図１１】図１０のスプリングの特性カーブ「力−変位」を示す図である。
【図１２】本発明による散弾銃細部の斜視図である。
【図１３】図１２の細部の側面図である。
【図１４】図１３のＸＩＶ−ＸＩＶに沿った断面図である。
【図１】
2008215803.tif 000003
【図２】
2008215803.tif 000004
【図３】
2008215803.tif 000005
【図４】
2008215803.tif 000006
【図５】
2008215803.tif 000007
【図６】
2008215803.tif 000008
【図７】
2008215803.tif 000009
【図８】
2008215803.tif 000010
【図９】
2008215803.tif 000011
【図１０】
2008215803.tif 000012
【図１１】
2008215803.tif 000013
【図１２】
2008215803.tif 000014
【図１３】
2008215803.tif 000015
【図１４】
2008215803.tif 000016
【外国語明細書】
2008215803000001.pdf